(57)【要約】【課題】  夏季の熱気や湿気等による寝苦しい不快感を大幅に改善することができる温熱治療器を提供する。【解決手段】  上面に複数の吸気孔５を有し、下面に通風口９を有し、内部に立体格子空間材Ａ３および緩衝体１を有した寝具本体６と、下面と上面間を貫く複数の通気孔１９を有するまくら素材１８および、このまくら素材１８の外郭に立体格子空間材Ｂ２０を設けて構成したまくら１７と、前記寝具本体６を載置する面に吸気口１３を有し、側面または下面に排気口１２を有する送風ユニット１１を備えた寝台１０とで構成され、送風ユニット１１により寝具本体６の吸気孔５から立体格子空間材Ａ３と、通風口９と、吸気口１３を介し吸気する空気と、まくら１７の立体格子空間材Ｂ２０から通気孔１９と、吸気孔５と、立体格子空間材Ａ３と、通風口９と、吸気口１３を介して吸気する空気を排気口１２から寝台１０外に排気する。【選択図】  図１
2005204852.tif 000002
【特許請求の範囲】
【請求項１】
上面に複数の吸気孔（５）を有し、下面に通風口（９）を有し、内部に立体格子空間材Ａ（３）および緩衝体（１）を有する寝具本体（６）と、下面と上面間を貫く複数の通気孔（１９）を有するまくら素材（１８）および、このまくら素材（１８）の外郭に立体格子空間材Ｂ（２０）を有するまくら（１７）と、前記寝具本体（６）を載置する面に吸気口（１３）を有するとともに、側面または下面に排気口（１２）を有する送風ユニット（１１）を備えた寝台（１０）とで構成され、前記寝具本体（６）を寝台（１０）に載置するとともに、まくら（１７）を寝具本体（６）に載置し、寝具本体（６）の吸気孔（５）から立体格子空間材Ａ（３）と、通風口（９）と、吸気口（１３）を介し吸気する空気と、まくら（１７）の立体格子空間材Ｂ（２０）から通気孔（１９）と、吸気孔（５）と、立体格子空間材Ａ（３）と、通風口（９）と、吸気口（１３）を介して吸気する空気を送風ユニット（１１）により排気口（１２）から寝台（１０）外に排気することを特徴とする温熱治療器。
【請求項２】
寝具本体（６）内部に発熱体（２）を設けたことを特徴とする請求項１記載の温熱治療器。
【請求項３】
寝具本体（６）内部に電位線（２ｂ）を設けたことを特徴とする請求項１、２記載の温熱治療器。
【発明の詳細な説明】
【技術分野】
【０００１】
本発明は、季節に応じて快適な睡眠環境を得ることが出来るとともに、温熱治療と電位治療の効果を有する温熱治療器に関するものである。
【背景技術】
【０００２】
従来、この種の温熱治療器は、寝具表布の下部に空間材を設けるとともに、吸気ユニットを設け、吸気ユニットを作動させて寝具表布から寝具表面の空気を吸気して、人体からの熱気や湿気等を寝具外に放出し夏季において寝床内の温度と湿度が高い不快な寝床環境を快適にするものが提案されている（例えば、特許文献１参照）。
【０００３】
【特許文献１】特開２００２−７８５７０号公報
【発明の開示】
【発明が解決しようとする課題】
【０００４】
しかしながら、上記従来の温熱治療器は寝具上面の人体周囲の熱や湿度を含んだ空気を吸気し寝具外に放出して不快な寝床環境を改善することができるが、寝具の上に載せたまくらの部分はまくらに邪魔されて吸気できず、人体の頭の周辺は熱や湿気が籠もり不快感が改善されていなかった。
【課題を解決するための手段】
【０００５】
本発明は上記の問題を解決するためになされたものであり、請求項１は上面に複数の吸気孔を有し、下面に通風口を有し、内部に立体格子空間材Ａおよび発熱体および緩衝体を有した寝具本体と、下面と上面間を貫く複数の通気孔を有するまくら素材および、このまくら素材の外郭に立体格子空間材Ｂを設けて構成したまくらと、前記寝具本体を載置する面に吸気口を有し、側面または下面に排気口を有する送風ユニットを備えた寝台とで構成され、寝具本体を寝台に載置するとともに、まくらを寝具本体に載置し、送風ユニットにより寝具本体の吸気孔から立体格子空間材Ａと、通風口と、吸気口を介し吸気する空気と、まくらの立体格子空間材Ｂから通気孔と、吸気孔と、立体格子空間材Ａと、通風口と、吸気口を介して吸気する空気を排気口から寝台外に排気するものである。
【０００６】
請求項２は寝具本体内部に発熱体を設けたものである。
【０００７】
請求項３は寝具本体内部に電位線を設けたものである。
【発明の効果】
【０００８】
本発明の温熱治療器は、上記のように構成したことにより請求項１では寝具本体に仰臥した人の背中部や頭の周辺から熱気や湿気を寝台に設けた送風ユニットにより吸気して寝台の外に放出できるので夏季の寝苦しい不快感を大幅に改善することができる。
【０００９】
また、送風ユニットを寝台に設けたことにより、寝具本体に電源コードやコントローラが接続されないためベッドメイク時や寝具本体の取り扱いが非常にやりやすい。
【００１０】
また、送風ユニットを寝台に設けたことにより、送風ユニットの動作時の振動や騒音が寝具本体に仰臥した人体に伝わりにくいため快適に睡眠することができる。
【００１１】
また、請求項２では夏季の寝苦しい不快感を送風ユニットを通電して寝具本体に仰臥した人の背中部や頭の周辺から熱気や湿気を吸気し寝台外に排気することにより改善することができるとともに、冬季には送風ユニットの通電を止め寝具本体の発熱体に通電して寝具本体に仰臥した人に熱を加えることにより寝ながらにして温熱効果により健康づくりを行うことができるため、オールシーズンを有益に使用することができる。
【００１２】
また、請求項３では夏季の寝苦しい不快感を送風ユニットを通電して寝具本体に仰臥した人の背中部や頭の周辺から熱気や湿気を吸気し寝台外に排気することにより改善することができるとともに、寝具本体内部の電位線にマイナスの高電位を印加し、寝具本体に仰臥した人に電位治療を行うことにより人体の体内バランスを良くし、慢性便秘や頭痛、不眠症、肩こり等を改善することができるため、寝ながらにして健康づくりを行うことができる。
【発明を実施するための最良の形態】
【００１３】
以下、本発明の一実施例を図１〜図８を参照して説明する。図１は本発明の一実施例を説明する温熱治療器の斜視図、図２は同じく寝具本体からまくらを除いた状態の斜視図、図３は同じく外郭カバーを外した状態の寝具本体の斜視図、図４は同じく寝台の斜視図、図５は同じく寝具本体に人が仰臥した状態の縦断面図、図６は同じく寝具本体に載置して使用するまくらの斜視図、図７は同じくまくらの破断斜視図、図８は同じくまくらの下面斜視図である。
【００１４】
図において、１は寝具として使用可能な緩衝体で、この上に人が仰臥する。
【００１５】
２は緩衝体１の上面に載せられた発熱体で、コード状のヒータよりなり、保持シートで保持されていて、緩衝体１に人が仰臥したとき腰から下の部分が密になるように蛇行して配置されており、そのヒータに通電することにより頭寒足熱となるように暖房することができる。また、この発熱体２のヒータの内部には図示しないがヒータ線と信号線がスパイラル状にプラスチックサーミスタの感熱層を挟んで巻き付けられていて、この感熱層のインピーダンス変化を後記する制御部１４の制御回路で検出して発熱体２の温度制御を行っている。
【００１６】
２ｂは電位線で発熱体２のヒータ内部に絶縁層を介しヒータ線と信号線から絶縁して配設されていて、この電位線２ｂにマイナスの高電位を印加して、緩衝体１に仰臥した人体に対し電位治療を行うものである。
【００１７】
３は発熱体２の上面に載せられた立体格子空間材Ａで、プラスチック製の糸を多数編みこんだ三次元構造繊維素材で構成してあり、これにより連通した空気層が形成されていて通気性と放湿性に優れ、またこの上に仰臥した人の体圧を分散することができるものである。
【００１８】
４は袋状のカバーで、緩衝体１と発熱体２と立体格子空間材Ａ３の全体を覆っていて、通気性が制限された不織布などの素材で構成してある。
【００１９】
５はカバー４に開けられた吸気孔で、緩衝体１に人が仰臥したとき腰から背中にかけての上半身部分に適当な間隔で複数個開けられている吸気孔Ａ５ａと、緩衝体１に人が仰臥したとき頭の位置すなわちまくらを載置する位置に適当な間隔で複数個開けられている吸気孔Ｂ５ｂで構成されている。
【００２０】
６はカバー４で覆われ寝具として使用可能な寝具本体で、前記したように上面に複数の吸気孔５を有し、下面に通風口９を有し、内部には立体格子空間材Ａ３と、発熱体２と、緩衝体１を有している。
【００２１】
７は外郭カバーで、寝具として外観を良くし商品性を高めるためにカバー４の上からさらに覆っているものである。
【００２２】
８ａは外郭カバー７に開けられた吸気部Ａで、メッシュ状になっていて、カバー４に開けられた吸気孔Ａ５ａの上を覆う位置に設けられ、ここから寝具本体６の表面の空気を吸気する。
【００２３】
８ｂは同じく外郭カバー７に開けられた吸気部Ｂで、メッシュ状になっていて、カバー４に開けられた吸気孔Ｂ５ｂの上を覆う位置に設けられ、ここから寝具本体６表面の空気を吸気する。
【００２４】
９はカバー４に開けられた通風口で、寝具本体の下面に設けられ、前記吸気孔５とは空気が流通するように構成されていて、通風口９と立体格子空間材Ａ３の間に介在する緩衝体１と発熱体２には予め空気が流通するように通気性の良好な素材または切りかけ部等で構成した開口部２５が設けられている。そして、カバー４を覆う外郭カバー７の通風口９を覆う位置には、空気が流通できるようにメッシュ状に形成してある。
【００２５】
１０は寝台で寝具本体６を寝台１０の上に載置して使用する。
【００２６】
１１は送風ユニットで、寝台１０に設けられている。
【００２７】
１２は排気口で、寝台１０の側面に設けられていて送風ユニット１１で吸気した空気を寝台１０の外部に排気している。ただし、排気口１２は側面以外の下面に設けてもよい。
【００２８】
１３は寝台１０の上面に設けられた吸気口で、ここから送風ユニット１１は吸気をしている。そして、吸気口１３は寝具本体６を寝台１０に載置した時、寝具本体６のカバー４に開けられた通風口９と重なる面の位置に設けられている。
【００２９】
１４は制御部で、寝台１０に設けられていて、送風ユニット１１の通電や、発熱体２の通電を制御する。また、発熱体２の電位線に印加するマイナスの高電位を発生する回路を内蔵しこのマイナス高電位の通電を制御している。
【００３０】
１５はコントローラで、制御部１４と接続されていて、送風ユニット１１と発熱体２と電位線へのマイナスの高電位印加の通電状態を任意で設定できるように操作することができるものであり、タイマー動作や、ヒータの設定温度や、電位線のマイナス高電位のオン・オフや、送風ユニット１１の強弱運転等を設定することができる。
【００３１】
１６は電源コードで、制御部１４に電源を供給している。１７は寝具本体６に載せられるまくらである。
【００３２】
１８はまくら素材で、クッション性の良い低反発ポリウレタンフォームで構成されている。
【００３３】
１９はまくら素材１８の上面と下面を貫通して開けられている通気孔で、適当な間隔を開けて複数個設けられている。
【００３４】
２０は立体格子空間材Ｂで、プラスチック製の糸を多数編み込んで構成してあり、これにより連通した空気層が形成されていてまくら素材１８の外郭の上部を覆うように載せられている。
【００３５】
２１はシールで、立体格子空間材Ｂ２０の端部を折り込み密度の高い材料で包囲して縫製固定し、プラスチック製の糸がはみ出さないようにしている。
【００３６】
２２は中袋で、通気性と伸縮性のあるニット製のものであり、まくら素材１８を収納していて、まくら素材１８の低反発ポリウレタンフォームに着色された色が後記するまくらカバーに付着しないようにしている。
【００３７】
２３はニット製のまくらカバーで、まくら１７全体を覆って立体格子空間材Ｂ２０がまくら素材１８からずれないようにしていて、肌触り、通気性、放熱性が良いものである。
【００３８】
２４ａ、２４ｂは固定手段で、マジックテープよりなり、本体６に載置されたまくら１７の通気孔１９と本体６の吸気孔５ｂが重なってずれないように固定することができるものであり、固定手段２４ａは本体６にまくら１７を載置する所定位置の外郭カバー７に設けられていて、固定手段２４ｂはまくら１７の下面のまくらカバー２１に設けられている。そして、まくら１７を本体６の固定手段２４ａの部分に載置するとマジックテープの働きでまくら１７が本体６に固定される。
【００３９】
次に以上の構成による作用を説明する。
【００４０】
まず、寝具本体６を吸気部Ａ８ａを上面にし、下面にある通風口９が寝台１０の吸気口１３に重なるように寝台１０に載置する。
【００４１】
次に、まくら１７を寝具本体６の上面の所定位置に載置すると、まくら１７のまくらカバー２１と寝具本体６の外郭カバー７の固定手段２４ａ、２４ｂが張り付き寝具本体６の吸気孔Ｂ５ｂとまくら１７の通気孔１９が重なって固定される。
【００４２】
次に電源コード１６を電源に差込み、コントローラ１５を操作して運転を開始する。
【００４３】
そして、暑い夏場は電位治療機能と清涼機能を働かすか、または清涼機能のみ働かせるようにコントローラ１５を操作して涼しく快適に睡眠できるようにする。
【００４４】
そして、清涼機能を働かすと、送風ユニット１１が通電され送風ユニット１１の吸気により寝具本体６に仰臥した人体の腰から上の背中部に設けられた吸気孔Ａ５ａから立体格子空間材Ａ３と、開口部２５と、通風口９と、吸気口１３とを介して空気を吸気して排気口１２から寝具本体６の外部に排気し、人体からの熱気や湿気等を寝具本体６外に放出し夏季において寝床内の温度と湿度が高い不快な寝床環境を快適にする。
【００４５】
また、同様にまくら１７に設けた立体格子空間材Ｂ２０から通気孔１９と、寝具本体６の吸気孔Ｂ５ｂと、立体格子空間材Ａ３と、開口部４６と、通風口９と、吸気口１３とを介してまくら１７に乗せた頭の周辺の空気を送風ユニット１１が吸気して排気口１２から排気することにより、爽やかな涼風が頭や顔の周り全体をゆっくり流れ、頭部周辺の熱を奪うので夏の暑い夜に頭部が汗でべとついたりしないで涼しく寝ることができる。
【００４６】
また、電位治療だけを行う場合は送風ユニット１１は通電せず、発熱体２の電位線２ｂにマイナスの高電位を印加して、寝具本体６上に仰臥した人の電位治療を行うように制御し、主に体内バランスを良くし、慢性便秘や頭痛や不眠症、肩こり等の効果効能を得る。
【００４７】
また、寒い冬場は温熱治療機能と、電位治療機能を働かすか、または、温熱のみで適温で快適に睡眠できるようにし、送風ユニット１１は通電しないように制御する。
【００４８】
したがって、寝具本体６に仰臥した人の腰から上の背中部や頭の周辺から熱気や湿気を送風ユニット１１により吸気して寝具本体６外に放出できるので夏季の寝苦しい不快感を大幅に改善することができる。
【００４９】
また、送風ユニット１１を寝台１０に設けたことにより、寝具本体６には電源コードやコントローラが接続されないためベッドメイク時や取り扱いが非常にやりやすい。
【００５０】
また、送風ユニット１１を寝台１０に設けたため送風ユニット１１の動作時の振動や騒音が寝具本体６に仰臥した人に伝わりにくいため騒音を気にすること無く眠ることができる。
【００５１】
また、夏季の寝苦しい不快感を送風ユニット１１を通電して寝具本体６に仰臥した人の背中部や頭の周辺から熱気や湿気を吸気し寝台１０外に排気することにより改善することができるとともに、冬季には送風ユニット１１の通電を止め寝具本体６の発熱体２に通電して寝具本体６に仰臥した人に熱を加えることにより寝ながらにして温熱効果により健康づくりを行うことができるため、オールシーズンを有益に使用することができる。
【００５２】
また、夏季の寝苦しい不快感を送風ユニット１１を通電して寝具本体６に仰臥した人の背中部や頭の周辺から熱気や湿気を吸気し寝台１０外に排気することにより改善することができるとともに、寝具本体６内部の電位線２ｂにマイナスの高電位を印加し、寝具本体に仰臥した人に電位治療を行うことにより人体の体内バランスを良くし、慢性便秘や頭痛、不眠症、肩こり等を改善することができるため、寝ながらにして健康づくりを行うことができる。
【００５３】
なお、本発明は上記実施例に限定されるものではなく、以下のような拡張または変更が可能である。発熱体２はヒータのみとし、温熱治療効果と清涼効果を有するように構成しても良い。また、発熱体２は電位線のみとし、電位治療効果と清涼効果を有するように構成しても良い。また、発熱体２を有しない構成にして清涼機能だけ有する構成にしても良い。
【図面の簡単な説明】
【００５４】
【図１】本発明の一実施例を説明する温熱治療器の斜視図である。
【図２】同じく寝具本体からまくらを除いた状態の斜視図である。
【図３】同じく外郭カバーを外した状態の寝具本体の斜視図である。
【図４】同じく寝台の斜視図である。
【図５】同じく寝具本体に人が仰臥した状態の縦断面図である。
【図６】同じく寝具本体に載置して使用するまくらの斜視図である。
【図７】同じくまくらの破断斜視図である。
【図８】同じくまくらの下面斜視図である。
【符号の説明】
【００５５】
１    緩衝体
２    発熱体
２ｂ  電位線
３    立体格子空間材Ａ
５    吸気孔
６    寝具本体
９    通風口
１０  寝台
１１  送風ユニット
１２  排気口
１３  吸気口
１７  まくら
１８  まくら素材
１９  通気孔
２０  立体格子空間材Ｂ
【図１】
2005204852.tif 000003
【図２】
2005204852.tif 000004
【図３】
2005204852.tif 000005
【図４】
2005204852.tif 000006
【図５】
2005204852.tif 000007
【図６】
2005204852.tif 000008
【図７】
2005204852.tif 000009
【図８】
2005204852.tif 000010